(57)【特許請求の範囲】
【請求項１】
放送番組に対応した音声信号と、前記放送番組に関する第１の情報を含む放送関連情報信号とが多重化されたラジオ放送波を受信し、各周波数における放送が受信可能かを検索する帯域スキャンを実行する制御手段を有するラジオ放送受信機であって、
前記制御手段は、
前記帯域スキャン実行時において、選択された周波数における放送が受信可能な周波数であるか受信可能判断手段によって判断し、
前記受信可能判断手段において受信可能であると判断された場合に、前記選択された周波数を記憶手段の受信可能リストに記憶させ、
前記受信可能判断手段において受信可能であると判断された場合に、前回の前記帯域スキャン時に作成された前回受信可能リストを参照し、前記前回受信可能リストに前記選択された周波数に対応する前記第１の情報が存在するかを第１の情報参照判断手段によって判断し、
前記第１の情報参照判断手段において前記第１の情報が存在すると判断された場合に、前記選択された周波数と対応付けて、前記前回受信可能リストの前記第１の情報を前記記憶手段の前記受信可能リストに記憶させ、
前記第１の情報参照判断手段において前記第１の情報が存在しないと判断された場合に、前記選択された周波数と対応する前記第１の情報の取得動作を実行する、
ラジオ放送受信機。
【請求項２】
放送関連情報信号は、第１の情報以外の放送関連情報を含み、
前記制御手段は、
前記第１の情報の取得動作によって前記第１の情報が取得された場合に、前記記憶手段の前記受信可能リストに、取得された第１の情報を記憶させ、
前記受信可能リストに、前記選択された周波数及び前記第１の情報に対応する前記第１の情報以外の放送関連情報が存在するかを第２の情報参照判断手段によって判断し、
前記第２の情報参照判断手段において前記第１の情報以外の放送関連情報が存在すると判断された場合に、前記選択された周波数及び前記第１の情報と対応付けて、前記前回受信可能リストの前記第１の情報以外の放送関連情報を前記記憶手段の前記受信可能リストに記憶させ、
前記第２の情報参照判断手段において前記第１の情報以外の放送関連情報が存在しないと判断された場合に、前記選択された周波数及び前記第１の情報と対応する前記第１の情報以外の放送関連情報の取得動作を実行する
請求項１に記載のラジオ放送受信機。
【請求項３】
前記第１の情報はＰＩコード情報であり、前記第１の情報以外の放送関連情報はＰＳ名称情報である
請求項２に記載のラジオ放送受信機。
【請求項４】
前記制御手段は、前記ＰＩコード情報の取得動作において、取得動作を一定期間継続しても前記ＰＩコード情報を取得できない場合には取得動作を停止する
請求項３に記載のラジオ放送受信機。
【請求項５】
前記制御手段は、前記ＰＳ名称情報の取得動作において、取得動作を一定期間継続しても前記ＰＳ名称を取得できない場合には取得動作を停止する
請求項４に記載のラジオ放送受信機。
【請求項６】
前記制御手段が前記ＰＩコード情報の取得動作を停止するまでの時間は、前記ＰＳ名称情報の取得動作を停止する時間よりも短い
請求項５に記載のラジオ放送受信機。
【発明の詳細な説明】
【技術分野】
【０００１】
本発明は、ＲＤＳ方式のラジオ放送受信機に関する。
【背景技術】
【０００２】
特許文献１には、放送帯域内の全多重放送信号からＰＩコード情報を優先的に抽出し、このＰＩコード情報を優先的に記憶手段に記憶更新した後、ＰＩコード情報以外の情報データを抽出して、これらＰＩコード情報以外の情報データを記憶手段に記憶更新したラジオ放送受信機が開示されている。
【０００３】
特許文献２には、ユーザの所定操作に応じて、シーク動作（帯域スキャン）を実行し、シーク動作直前のＰＩコード情報をＲＡＭに記憶し、シーク動作中に検出された放送局のＰＩコードとＲＡＭに記憶したＰＩコードとが不一致であれば、タイマーをスタートして所定時間経過前に、所定操作を検出すると、このシーク動作中に検出された放送局のＰＩコードをＲＡＭに追加記憶して、再びシーク動作を実行するラジオ放送受信機が開示されている。
【０００４】
特許文献３には、通信データを受け取ると同時に、順次パケット化を行ってこれを送信する技術が開示されている。
【先行技術文献】
【特許文献】
【０００５】
【特許文献１】特開２００４―０２３５４２号公報
【特許文献２】特開平０９―２４７０２２号公報
【特許文献３】特開平０３―１２５５３８号公報
【発明の概要】
【発明が解決しようとする課題】
【０００６】
しかしながら、特許文献１及び特許文献２に記載の方法においては、すべての周波数に対する帯域スキャンを行う時間を短縮することができないという不都合がある。
【０００７】
本発明は、上記課題に鑑みてなされたものであり、その目的の一例は帯域スキャンに必要とされる時間を短縮可能なラジオ放送受信機を提供することである。
【課題を解決するための手段】
【０００８】
本発明のラジオ放送受信機は、放送番組に対応した音声信号と、前記放送番組に関する第１の情報を含む放送関連情報信号とが多重化されたラジオ放送波を受信し、各周波数における放送が受信可能かを検索する帯域スキャンを実行する制御手段を有するラジオ放送受信機であって、前記制御手段は、前記帯域スキャン実行時において、選択された周波数における放送が受信可能な周波数であるか受信可能判断手段によって判断し、前記受信可能判断手段において受信可能であると判断された場合に、前記選択された周波数を記憶手段の受信可能リストに記憶させ、前記受信可能判断手段において受信可能であると判断された場合に、前回の前記帯域スキャン時に作成された前回受信可能リストを参照し、前記前回受信可能リストに前記選択された周波数に対応する前記第１の情報が存在するかを第１の情報参照判断手段によって判断し、前記第１の情報参照判断手段において前記第１の情報が存在すると判断された場合に、前記選択された周波数と対応付けて、前記前回受信可能リストの前記第１の情報を前記記憶手段の前記受信可能リストに記憶させ、前記第１の情報参照判断手段において前記第１の情報が存在しないと判断された場合に、前記選択された周波数と対応する前記第１の情報の取得動作を実行する。
【図面の簡単な説明】
【０００９】
【図１】本発明の第１の実施形態に係るラジオ放送受信機の構成を示すブロック図である。
【図２】本発明の第１の実施形態に係るラジオ放送受信機の帯域スキャンの説明図である。
【図３】図２の方法による帯域スキャンを実施した場合に、帯域スキャン時間とデータ取得時間がどのようになるかの説明図である。
【図４】本発明の第１の実施形態における、受信可能リストを説明するものである。
【図５】本発明の第１の実施形態における、制御部の処理を説明するフローチャートである。
【図６】本発明の第２の実施形態における、制御部の処理を説明するフローチャートである。
【発明を実施するための形態】
【００１０】
図１は、本発明の第１の実施形態に係るラジオ放送受信機の構成を示すブロック図である。
【００１１】
以下、本発明の第１の実施形態を、図１を用いて詳細に説明する。
図１に記載されたラジオ放送受信機は、放送番組に対応した音声信号や交通情報などの情報コンテンツデータと共に放送に関する各種情報を担うＲＤＳ（Radio Data System）データ信号（以下、「放送関連情報信号」という。）をＦＭ放送信号に周波数多重して放送するＲＤＳ放送方式のラジオ放送受信機である。
この放送関連情報信号に含まれる各種情報には、例えば、以下のような情報が含まれる。
番組を識別し得る放送局固有のコードであるＰＩコード情報
交通情報対応局か否かを示すコードであるＴＰコード情報
番組タイプ(ニュース、スポーツ、音楽等）を示すコードであるＰＴＹコード情報
放送局名を示すデータであるＰＳ名称情報
放送局側が音声信号と共に送信する文字データであるＲＴデータ情報
本発明の実施形態においては、これらの各種情報のうち特に、ＰＩコード情報及びＰＳ名称情報を利用する（図４も参照のこと）。
もっとも、これに限定する趣旨ではなく、放送関連情報信号に含まれる各種情報であれば、任意の組み合わせでそれぞれ置換可能である。
【００１２】
このＰＩコード情報に関しては、様々な便利な使用方法が知られている。ＰＩコード情報の使用方法として、例えば以下のような方法がある。
同じ番組であっても、異なる周波数によって放送が行われている場合がある。
さらに、同じ番組であっても、異なる放送局から放送されている場合もある。この場合には、放送されている周波数が異なるのみならずＰＳ名称情報（放送局名）も異なっている。
しかし、ユーザは、同じ番組を特段の操作なく聴取し続けたいという本質的なニーズを有している。
このニーズに対応するためにＰＩコード情報が利用される。具体的には、現在聴取している番組の受信状況が悪化（聴取不能を含む）した場合に、ＲＤＳ方式のラジオ放送受信機は、今後受信する周波数を現在聴取している番組のＰＩコード情報と同一のＰＩコード情報を有する他の周波数に自動的に変更するのである。
このような利用に対しては、ＲＤＳ方式のラジオ放送受信機は、常に、最新のＰＩコード情報を有している必要がある。また、ＰＳ名称情報もユーザに放送局情報を提供するためには必要である。
もっとも、ＰＩコード情報と比較すると、ＰＳ名称情報は緊急の必要性は相対的に低い。
ところで、図２及び図３の説明を用いて後ほど詳しく説明するが、すべての周波数のＰＩコード情報及びＰＳ名称情報を常に検索することは、最も重要である現在同調している周波数局の放送内容データ取得のための時間割合を低下させ、受信性能の低下をもたらしてしまう。
また、すべての周波数のＰＩコード情報及びＰＳ名称情報を常に検索することは、放送関連情報信号に含まれる交通情報のデータ取得動作の時間をその分、短時間としてしまうという問題点を有している。
このような問題点を解決するのが本発明の実施形態の目的である。
【００１３】
放送波を受信するＲＤＳ方式のラジオ放送受信機は、放送波を受信して得られたＦＭ放送信号からこの放送に対応した音声信号を復調する。
さらに、ＲＤＳ方式のラジオ放送受信機は、このＦＭ放送信号から上記放送関連情報信号を検出することにより、上述した各種情報を得る。
そして、ＲＤＳ方式のラジオ放送受信機はこの放送関連情報信号を利用し、様々な機能を実現している。
【００１４】
以下、図１によってＲＤＳ方式のラジオ放送受信機の構成を説明する。
アンテナ１は、放送関連情報信号が多重されているＦＭ放送波を受波して得られたＦＭ受波信号をフロントエンド２に供給する。
このＦＭ受波信号は、フロントエンド２で希望する放送局の電波が選択されて周波数１０．７ＭＨｚの中間周波数（ＩＦ）に変換される。
その後、ＦＭ受波信号はＩＦ増幅器３で増幅される。
なお、フロントエンド２は、混合器２ａ及びＰＬＬ回路２ｂを有している。
そして、フロントエンド２は、プログラマブル分周器（図示せず）を含むＰＬＬ回路２ｂを用いたＰＬＬシンセサイザ方式により混合器２ａへの局発信号を得ている。
フロントエンド２は、後述する制御部１０から供給された同調周波数指示に応じて受信する周波数を設定する。
この際、フロントエンド２では、この局発信号の周波数に応じたチューニングが実施される。
【００１５】
ＩＦ増幅器３で増幅され十分に振幅抑制された１０．７ＭＨｚのＦＭ信号は、ＦＭ検波器４に出力され、オーディオ信号に復調される。
レベル検出器１４は、ＩＦ増幅器３におけるＩＦ信号レベルに基づいて受信信号のレベル（電界強度）を検出し、これを制御部１０に供給する。
局検出器８は、ＩＦ増幅器３におけるＩＦ信号レベルが所定のレベル以上であり、かつ、ＦＭ検波器４におけるＳ字カーブ特性の検波出力が所定レベル範囲内にある場合に局検出信号を出力する。
ここで、この局検出信号は放送局からの放送波に対する同調が完了したことを示すものである。
そして、この局検出信号は制御部１０に提供される。
制御部１０は、レベル検出器１４から供給された受信信号レベル、及び局検出器８から供給された局検出信号に応じて、フロントエンド２の制御を実行する。
また、この局検出信号によって、制御部１０によって選択された周波数上に放送信号が発信されているか否かの判断がなされる（後述する図６のステップＳＴ０２及びステップＳＴ０３の処理が該当する）。
【００１６】
ステレオ復調回路５は、ＦＭ検波器４からのオーディオ信号をステレオに復調し、アンプ６に供給する。
アンプ６は、ステレオ復調回路５から供給されたオーディオ信号を所望に増幅してスピーカ７に供給する。
スピーカ７は、このアンプ６によって増幅されたオーディオ信号を音響振動に変換する。
【００１７】
記憶部１１は、制御部１０の命令に従い、必要な情報を記憶する。
特に、本発明の第１の実施形態においては、記憶部１１は、受信可能リストを記憶して、必要に応じて制御部１０に提供する役割を有している。
ここで、受信可能リストは、帯域スキャンが行われるたびに参照され、更新される。
本実施形態においては、更新される前の受信可能リストを前回受信可能リストといい、参照の対象になるのはこの前回受信可能リストである。
つまり、後述する図５でいえば、帯域スキャンが実行される前の受信可能リストが前回受信可能リストである。
【００１８】
ＲＤＳ信号検出回路９は、ＦＭ検波器４の検波出力から放送関連情報信号（例えば、ＰＩコード情報、ＰＳ名称情報等）を検出し、これを制御部１０に供給する。
操作部１３は、ユーザによる各種操作に応じた操作信号を発生し、これを制御部１０に供給する。
表示部１２は、制御部１０から供給される各種表示データに基づく画像又は文字表示を行う。
本発明の第１の実施形態では、表示部１２は、ＰＳ名称に基づいて放送局名を表示する。
【００１９】
制御部１０は、操作部１３からフル選局サーチ指令が発令されると、フル選局サーチ動作を実行する。
フル選局サーチ動作では、ＦＭ放送の可能性のあるすべての周波数を順次検索する。
そして、この検索によって、放送が行われている周波数、及び、この周波数に対応する放送関連情報信号等の各種情報のすべてを取得する。
制御部１０は、取得された各種情報に基づいて、完全かつ最新の受信可能リストを生成する。そして、生成された受信可能リストは記憶部１１に記憶される。
このフル選局サーチ指令は、制御部１０によって自動的に行われると好適である。もっとも、操作部１３に設けられている例えば選局サーチキーをユーザが押圧操作することにより発令されてもよい。
また、フル選局サーチは、一定時間おきに自動的に制御部１０によって実行され得る。
制御部１０は、フル選局サーチよりも多少情報量が少ない検索を実施してもよい。
本発明の第１の実施形態で行われる帯域スキャンとは、このフル選局サーチよりも簡易（取得する情報量が少ない）とするものであり、短時間、高頻度で行うのに好適な検索である。
また、帯域スキャンは、通常、ユーザの操作がなく制御部１０によって実行される。
【００２０】
ここで、図２及び図３を参照して、本発明の第１の実施形態における帯域スキャンを説明する。
図２は、本発明の第１の実施形態に係るラジオ放送受信機の帯域スキャンの説明図である。図３は、図２の方法による帯域スキャンを実施した場合に、帯域スキャン時間とデータ取得時間がどのようになるかの説明図である。
具体的には、図２（ｂ）及び図３（ｂ）は、本発明の第１の実施形態における帯域スキャンの方法を説明するものである。そして、図２（ａ）及び図３（ａ）は、フル選局サーチ時の場合の比較例である。
【００２１】
単純に帯域スキャンを実施すると、図２（ａ）のようにフル選局サーチとなり、ラジオ放送が行われており受信可能な周波数のすべてについて、ＰＩコード情報及びＰＳ名称情報の取得動作を実行することになる。
そして、ＰＩコード情報取得動作の実行及びＰＳ名称情報取得動作の実行には、一定程度の時間を必要とする。ここで、図２（ａ）のように、一般的にＰＳ名称情報取得時間は及びＰＩコード情報取得時間よりも長い時間が必要となる。なぜなら、ＰＳ名称情報の方がＰＩコード情報よりも情報量が多いからである。
なお、図２（ａ）中において、ＰＩコード情報取得動作のみが実行されＰＳ名称情報取得動作の実行がされていない場合があるが、これは、所定時間以内にＰＩコードが取得できない場合が該当し、この場合にはＰＳ名称情報がないために取得処理に入らないためである。
また、ＰＩコード情報取得動作のみが実行されＰＳ名称情報取得動作の実行が行われていない場合には、ＰＳ名称情報が存在するが受信状況が悪くＰＳ名称情報の取得が一定時間以内に完了しなかった場合もあり得る。
【００２２】
帯域スキャンは、各周波数において基本動作を実行する。
各周波数の基本動作とは、ラジオ放送を受信可能か判断し、受信可能な場合にはＰＩコード情報の取得動作が実行され、ＰＩコード情報が取得できた場合にはＰＳ名称情報の取得動作を実行する動作である（基本動作とは、図５のステップＳＴ０２〜ステップＳＴ１６までの処理が該当する。）。
帯域スキャンは、この基本動作をＦＭ放送が行われる可能性のある最低周波数から実行を開始する。そして、帯域スキャンは、この基本動作の実行が終わると周波数を１ステップアップして同じくこの基本動作を実行する。帯域スキャンは、これを繰り返し、このＦＭ放送が行われる可能性がある最高周波数まで実行し続ける（図５も参照のこと）。
【００２３】
この図２（ａ）の様な帯域スキャン方法では、図３（ａ）のように帯域スキャンに多くの時間を必要とすることになる。
このため、例えば帯域スキャン動作が一定時間間隔で実行される場合、一回の帯域スキャンに要する処理時間に対して、データ取得時間の割合が低下することになり、放送局が送信しているデータに対して取得できる情報量を少なくなってしまうおそれがある。
ここで、データ取得時に取得しているデータは、交通情報などの情報コンテンツデータである。もっとも、交通情報などの情報コンテンツデータに限定する趣旨ではない。
ここで、本発明の第１の実施形態では、帯域スキャンが一定時間間隔で実施されるものを想定している。もっとも、帯域スキャンは、一定時間間隔で実行されなくてもよい。
【００２４】
本発明の第１の実施形態では、前回受信可能リストを保有・利用することによって、帯域スキャンの時間を短縮化している。
具体的には、図２（ｂ）のように、帯域スキャンは、前回受信可能リストにない受信周波数のＰＩコード情報及びＰＳ名称情報のみの取得動作の実行を行っている。
つまり、最初の１回目の帯域スキャンでは図３（ａ）同様、すべての周波数に対してＰＩコード情報（＋ＰＳ名称情報）を取得する。しかし、２回目以降の帯域スキャンにおいては図３（ｂ）のように、新たに受信可能となった周波数のみに対してＰＩコード情報（＋ＰＳ名称情報）の取得動作を実行する。
つまり、１回目の帯域スキャンに必要となる時間は、図３（ａ）の場合と同じ時間が必要となってしまうが、２回目以降の帯域スキャンに必要となる時間は極めて短時間となる。そして、そのことは放送局が送信しているデータを取得する時間の割合が増加することを意味する。
帯域スキャン時間が短時間化することによって、より高頻度で帯域スキャンとデータ取得の実行を行うことができる（図３（ａ）と図３（ｂ）の帯域スキャン頻度を対比して参照のこと）。つまり、高頻度で帯域スキャンを実行することが可能となる。
【００２５】
図４は、本発明の第１の実施形態における、受信可能リストを説明するものである。
【００２６】
図４のように、受信可能リストには、受信可能な周波数、この受信可能な周波数に対応したＰＩコード情報、この受信可能な周波数に対応したＰＳ名称情報が記載されている。
もっとも、これに限定する趣旨ではなく、他の各種情報（例えば、ＴＰコード情報、ＰＴＹコード情報、ＲＴデータ情報、その他ラジオ放送受信機が生成・使用する各種情報等）が含まれていてもよい。
図４（ａ）は、帯域スキャンが実行される前に既に作成されている受信可能リスト（＝前回受信可能リスト）である。図４（ｂ）は、帯域スキャンが実行された後の受信可能リストである。
ここで、「←新規」と記載された部分は、帯域スキャンが実行されたことによって、新規に作成された部分である。
図４では、周波数ｆ１４において、ＰＩコード情報がＣ００９、ＰＳ名称情報が「ＦＭ  Ｙｏｋｏｈａｍａ」の番組が、帯域スキャンによって検出されている。
また、周波数ｆ２９において、ＰＩコード情報がＣ０２５、ＰＳ名称情報が「Ｓａｉｔａｍａ  ＦＭ」の番組が、帯域スキャンによって検出されている。
【００２７】
図５は、本発明の第１の実施形態における、制御部１０の処理を説明するフローチャートである。
【００２８】
帯域スキャンが開始されると、制御部１０はステップＳＴ０１の処理に移行する。
ステップＳＴ０１において、制御部１０は、帯域スキャンを行うために、フロントエンド２に、ＦＭ放送がなされる可能性のある周波数のうち最低周波数に該当する周波数への同調を指示する（以下、図５に加え図１も参照のこと）。
これによって、ＩＦ増幅器３及びＦＭ検波器４には同調周波数（＝最低周波数）におけるＦＭ信号が提供されることになる。
ステップＳＴ０１が実行されると、制御部１０の処理は、次のステップＳＴ０２の処理に移行する。
【００２９】
ステップＳＴ０２において、ＳＥＥＫ動作が実行される。具体的には、制御部１０は、局検出器８から局検出信号を検出する。
ここで、局検出器８は、ＩＦ増幅器３におけるＩＦ信号レベルが所定のレベル以上であり、かつ、ＦＭ検波器４におけるＳ字カーブ特性の検波出力が所定レベル範囲内にある場合に局検出信号を出力する。
ステップＳＴ０２が実行されると、制御部１０の処理は、次のステップＳＴ０３の処理に移行する。
【００３０】
ステップＳＴ０３において、制御部１０は設定している周波数においてラジオ放送を受信可能か判断する。
具体的には、制御部１０は局検出器８から局検出信号が出力されているか否かを検出し、局検出信号が出力されている場合には受信可能と判断し、局検出信号が出力されていない場合には受信不可能と判断する。
そして、受信可能と判断した場合には、制御部１０の処理は、ステップＳＴ０４の処理に移行する。
他方、受信不可能と判断した場合には、制御部１０の処理は、ステップＳＴ１７の処理に移行する。
【００３１】
ステップＳＴ０４において、制御部１０は、設定している周波数を受信可能として受信可能リストに書き込む。
なお、この段階では、この新規の周波数に対応するＰＩコード情報及びＰＳ名称情報は記憶されていない。
ステップＳＴ０４が実行されると、制御部１０の処理は、次のステップＳＴ０５の処理に移行する。
【００３２】
ステップＳＴ０５において、制御部１０は、受信可能リストに設定している周波数に対応するＰＩコード情報が前回受信可能リスト中に存在するか判断する。
具体的には、制御部１０は、記憶部１１を参照し、受信可能リストに設定している周波数に対応するＰＩコード情報が前回受信可能リスト中に書き込まれているか判断する。
そして、書き込まれていた場合には、制御部１０の処理は、ステップＳＴ０６の処理に移行する。
他方、書き込まれていない場合には、制御部１０の処理は、ステップＳＴ０９の処理に移行する。
【００３３】
ステップＳＴ０６において、制御部１０は、受信可能リストに設定している周波数に対応するＰＳコード情報が前回受信可能リスト中に存在するか判断する。
具体的には、制御部１０は、記憶部１１を参照し、受信可能リストに設定している周波数に対応するＰＳコード情報が前回受信可能リスト中に書き込まれているか判断する。
そして、書き込まれていた場合には、制御部１０の処理は、ステップＳＴ０７の処理に移行する。
他方、書き込まれていない場合には、制御部１０の処理は、ステップＳＴ０８の処理に移行する。
【００３４】
ステップＳＴ０７において、制御部１０は、前回受信可能リストからＰＩコード情報及びＰＳ名称情報を読み出してきて、ＰＩコード情報とＰＳ名称情報を受信可能リストに書き込む（コピーする）。
ステップＳＴ０７が実行されると、制御部１０の処理は、次のステップＳＴ１７の処理に移行する。
【００３５】
ステップＳＴ０８において、制御部１０は、前回受信可能リストからＰＩコード情報を読み出してきて、ＰＩコード情報を受信可能リストに書き込む（コピーする）。
ステップＳＴ０８が実行されると、制御部１０の処理は、次のステップＳＴ１７の処理に移行する。なお、本実施形態では、この状態となった場合に、ＰＳ名称情報の取得は行っていないが、ＰＳ名称情報が無い場合がありうるために、敢えて取得のための処理時間を費やさないためである。しかしＰＳ名称情報を取得する処理フローが有っても良い。
【００３６】
ステップＳＴ０９において、制御部１０は、ＰＩコード情報の取得動作を開始する。
具体的には、制御部１０は、ＲＤＳ信号検出回路９から出力されるＰＩコード情報を取得する。
ステップＳＴ０９が実行されると、制御部１０の処理は、次のステップＳＴ１０の処理に移行する。
【００３７】
ステップＳＴ１０において、制御部１０はＰＩコードの取得が完了されたか判断する。
具体的には、制御部１０は、ＲＤＳ信号検出回路９からＰＩコード情報が出力されているか否かを検出し、ＰＩコード情報が出力されている場合には取得済みと判断し、ＰＩコード情報が出力されていない場合には取得されていないと判断する。
そして、取得済みと判断した場合には、制御部１０の処理は、ステップＳＴ１２の処理に移行する。
他方、取得されていないと判断した場合には、制御部１０の処理は、ステップＳＴ１１の処理に移行する。
【００３８】
ステップＳＴ１１において、制御部１０はＰＩコード情報取得動作に許された時間を超過していないか判断する。
具体的には、制御部１０は、記憶部１１等に記憶されている設定されたＰＩコード情報取得動作の限界時間と、ＰＩコード情報取得動作を開始してからの経過時間とを比較する。
そして、ＰＩコード情報取得動作を開始してからの経過時間がＰＩコード情報取得動作の限界時間がよりも短い場合には、ＰＩコード情報取得動作を継続するべく、制御部１０の処理はステップＳＴ１０の処理へ移行する。
他方、ＰＩコード情報の取得動作を実行してからの経過時間がＰＩコード情報取得動作の限界時間がよりも長くなっている場合には、制御部１０の処理は、ＰＩコード情報取得動作を中止して、ステップＳＴ１７の処理へ移行する。
なお、ＰＩコード情報取得動作の限界時間とは、換言するとＰＩコード情報の取得動作の実行を停止する時間である。
【００３９】
ステップＳＴ１２において、制御部１０は、受信可能リストに設定している周波数と対応付けてＰＩコード情報を書き込む。
具体的には、制御部１０は、記憶部１１の受信可能リストに設定している周波数と対応付けてＰＩコード情報を書き込む。なお、この段階では、この新規の周波数に対応するＰＳ名称情報は記憶されていない。
ステップＳＴ１２が実行されると、制御部１０の処理は、次のステップＳＴ１３の処理に移行する。
【００４０】
ステップＳＴ１３において、制御部１０は、ＰＳ名称情報の取得動作を開始する。
具体的には、制御部１０は、ＲＤＳ信号検出回路９から出力されるＰＳ名称情報を取得する。
ステップＳＴ１３が実行されると、制御部１０の処理は、次のステップＳＴ１４の処理に移行する。
【００４１】
ステップＳＴ１４において、制御部１０はＰＳ名称情報の取得が完了されたか判断する。
具体的には、制御部１０は、ＲＤＳ信号検出回路９からＰＳ名称情報が全て出力され終わったかの有無を検出し、ＰＳ名称情報取得が完了している場合には取得済みと判断し、ＰＳ名称情報が出力されていない場合には取得されていないと判断する。
そして、取得済みと判断した場合には、制御部１０の処理は、ステップＳＴ１６の処理に移行する。
他方、取得されていないと判断した場合には、制御部１０の処理は、ステップＳＴ１５の処理に移行する。
【００４２】
ステップＳＴ１５において、制御部１０はＰＳ名称情報取得動作に許された時間を超過していないか判断する。
具体的には、制御部１０は、記憶部１１等に記憶されている設定されたＰＳ名称情報取得動作の限界時間と、ＰＳ名称情報取得動作の実行を開始してからの経過時間とを比較する。
そして、ＰＳ名称情報の取得動作を開始してからの経過時間が、ＰＳ名称情報取得動作の実行の限界時間よりも短い場合には、ＰＳ名称情報取得動作を継続するべく、制御部１０の処理はステップＳＴ１４の処理へ移行する。
他方、ＰＳ名称の取得動作の実行を開始してからの経過時間がＰＳ名称情報取得動作の限界時間がよりも長くなっている場合には、制御部１０の処理は、ＰＳ名称情報取得動作の実行を中止（停止）して、ステップＳＴ１７の処理へ移行する。
なお、ＰＳ名称情報の取得動作の限界時間とは、換言するとＰＳ名称情報の取得動作の実行を停止する時間である。
ここで、ＰＩコード情報の取得動作を停止する時間（ステップＳＴ１１で使用）とＰＳ名称情報の取得動作の実行を停止する時間（ステップＳＴ１５で使用）とを比較すると、ＰＩコード情報の取得動作の実行を停止する時間の方が短く設定すると好適である。
なぜなら、ＰＩコード情報の方がＰＳ名称情報よりも情報量が少ないため短時間で取得可能であり、ＰＩコード情報は、取得可能な場合には短時間で取得が完了するからである。
そして、このことによって、より短時間で帯域スキャンを完了することが可能となる。
【００４３】
ステップＳＴ１６において、制御部１０は、受信可能リストに設定している周波数と対応付けてＰＳ名称情報を書き込む。
具体的には、制御部１０は、記憶部１１の受信可能リストに設定している周波数と対応付けてＰＳ名称情報を書き込む。
ステップＳＴ１６が実行されると、制御部１０の処理は、次のステップＳＴ１７の処理に移行する。
【００４４】
ここで、ステップＳＴ０２〜ステップＳＴ１６までの処理は各周波数における基本動作である。
つまり、この基本動作を各周波数それぞれに順次行うことによって、全周波数の帯域スキャンが完了する。
【００４５】
ステップＳＴ１７において、設定している周波数を１ステップあげる。
ステップＳＴ１７が実行されると、制御部１０の処理は、次のステップＳＴ１８の処理に移行する。
【００４６】
ステップＳＴ１８において、制御部１０はステップＳＴ１７で設定した周波数が最高の周波数（上限）を超えたか判断する。
そして、最高の周波数を超えていない場合には、制御部１０は、ステップＳＴ１７で１ステップアップされた周波数における基本動作を実行するべく、ステップＳＴ０２の処理に移行する。
他方、最高の周波数を超えている場合には、制御部１０の処理は終了する。
【００４７】
以上のように構成したことによって、本発明の第１の実施形態は、図５中の破線部分におけるＰＩコードの取得の各ステップを実行する必要がない場合に、これを実行しなくて済むようになり短時間で帯域スキャンを完了することが可能となる。そして、それによって高頻度で帯域スキャンを実行することが可能となる。
つまり、データ取得時間の割合が増加し、ＦＭ放送受信のデータをより多く取得することが可能となる。その結果、ＦＭ放送の、例えば、交通情報などのデータのデータ取得量を増加することが可能となる。
また、帯域スキャンを高頻度で行うことができるのであるから、制御部１０は、その必要に応じてＰＩコードを参照して、同一の番組を聴取し続けることが可能なように周波数の変更を高速で行うことができる。
また、ＰＳ名称情報の取得動作の実行を停止する時間よりもＰＩコード情報の取得動作の実行を停止する時間を短く設定したことによって、より短時間で帯域スキャンを完了することが可能となる。
さらに、このように構成したことによって、データの取得時間比率を低減するという犠牲を払うことなく、帯域スキャンを高頻度かつ短時間で実行可能とすることができる。
そして、帯域スキャンを高頻度かつ短時間で実行可能としたことによって、例えば、長いトンネルの出口など受信状態が急激に変化するような場合であっても、受信可能な放送局リストをより短時間で更新できるという極めて大きな効果がある。
【００４８】
＜本発明の第２の実施形態＞
図６は、本発明の第２の実施形態における、制御部１０の処理を説明するフローチャートである。
基本的に、図５と同様の構成・作用・効果を有し、異なる点は、ステップＳＴ１９及びステップＳＴ２０の処理が追加されていることである。そのため、図５と同一の部分は説明を省略する。
【００４９】
ステップＳＴ１９において、制御部１０は、受信可能リストに書込まれたＰＩコードに対応するＰＳ名称情報が存在するか判断する。
具体的には、制御部１０は、記憶部１１を参照し、受信可能リストに書込まれたＰＩコードに対応するＰＳ名称情報が書き込まれているか判断する。
そして、書き込まれていた場合には、制御部１０の処理は、ステップＳＴ２０の処理に移行する。
他方、書き込まれていない場合には、制御部１０の処理は、ステップＳＴ１３の処理に移行する。
【００５０】
ステップＳＴ２０において、制御部１０は、前回受信可能リストからＰＳ名称情報を読み出してきて、ＰＳ名称情報を受信可能リストに書き込む。
ステップＳＴ２０が実行されると、制御部１０の処理は、次のステップＳＴ１７の処理に移行する。
【００５１】
このように構成したことによって、本発明の第２の実施形態は、本発明の第１の実施形態よりもさらに、短時間で帯域スキャンを完了することが可能である。そして、それによって高頻度で帯域スキャンを実行することが可能となる。
なぜなら、たとえＰＩコード情報が取得されておらず、図６の破線部分における各ステップを実行することになったとしても、ＰＩコード情報の取得動作よりも長時間を必要とするＰＳ名称情報の取得動作を省略することが可能となるからである。
【００５２】
以上の実施形態によれば、本発明のラジオ放送受信機は、放送番組に対応した音声信号や交通情報などの情報コンテンツデータと、放送番組に関するＰＩコード情報を含む放送関連情報信号とが多重化されたラジオ放送波を受信する。
そして、本発明のラジオ放送受信機は、各周波数における放送が受信可能かを検索する帯域スキャンを実行する制御部１０を有する。
加えて、制御部１０は、帯域スキャン時に選択された周波数における放送が受信可能な場合、かつ、前回の帯域スキャン実行時に形成された前回受信可能リストを参照して前回受信可能リストに選択された周波数に対応するＰＩコード情報が存在しない場合にだけＰＩコード情報の取得動作を実行する。
このような構成によって、短時間で帯域スキャンを完了することが可能である。そして、それによって高頻度で帯域スキャンを実行することが可能となる。
つまり、データ取得時間の割合が増加し、ＦＭ放送や交通情報などの情報コンテンツデータをより多く取得することが可能となる。その結果、ＦＭ放送の音声品質や交通情報などの情報取得率向上を図ることが可能となる。
また、帯域スキャンを高頻度で行うことができるのであるから、制御部１０は、その必要に応じてＰＩコードを参照して、同一の番組を聴取し続けることが可能なように周波数の変更を高速で行うことができる。
【００５３】
なお、以上の実施形態における制御部１０は制御手段の一例である。つまり、制御手段とは何らかの形で制御を行うものであればよく、単一の手段である必要はない。例えば、複数の制御手段によって分散制御であってもかまわない。さらに、アナログ的な処理であってもよいしデジタル的な処理であってもよい。
また、記憶部１１は記憶手段の一例である。つまり、記憶手段とは何らかの形で記憶を行うものであればよく、単一の手段である必要はない。分散されて記憶する場合等も含まれる。さらに、アナログ的な処理であってもよいしデジタル的な処理であってもよい。
本発明におけるラジオ放送受信機は、ＲＤＳのような放送関連情報の提供システムに対応したラジオ放送を受信することができるものであればどのようなものであってもよい。例えば、パーソナルコンピュータ、携帯用音楽プレーヤ、携帯電話機、ナビゲーション装置（カーナビ）テレビジョン、車等の移動装置本体に組み込まれた電子部品等である。
【００５４】
本発明の実施形態におけるステップＳＴ０３の処理は、本発明の受信可能判断手段の一例である。
本発明の実施形態におけるステップＳＴ０５の処理は、本発明の第１の情報参照判断手段の一例である。
本発明の第２の実施形態におけるステップＳＴ１９は、本発明の第２の情報参照判断手段の一例である。
【００５５】
本発明における「第１の情報」の一例がＰＩコード情報である。つまり、第１の情報は、ＴＰコード情報、ＰＴＹコード情報、ＲＴデータ情報等であってもよい。
また、本発明における「第１の情報以外の放送関連情報信号」の一例がＰＳ名称情報である。つまり、第１の情報以外の放送関連情報信号は、ＴＰコード情報、ＰＴＹコード情報、ＲＴデータ情報等であってもよい。要するに、ＰＩコード情報とＰＳ名称情報のように取得の順序が決まっており、先に取得した情報によって後に取得される情報がおよそ一意に決まる関係を有する情報であれば、本発明を適用可能である。
【００５６】
本発明では、放送関連情報の取得と帯域スキャンを組み合わせる場合の実施例を示したが、帯域スキャンと組合わせるチューナー機能は、例えばフェーズダイバーシティのように、別のものであっても適用可能である。
この例では、帯域スキャン時間が短縮化することにより、受信性能の向上を目的とするフェーズダイバシティチューナーとして動作可能な時間比率を高める効果がある。
つまりユーザのユースケース上であっても、常時動作を必要としない機能であれば、一定時間を帯域スキャンに使用可能となるためどのようなものであっても組合わせが可能となり、本発明を適用可能である。
【００５７】
また、本発明のラジオ放送受信機は必ずしも音声信号と同時にＲＤＳ信号を受信する形式である必要はない。
つまり、ＲＤＳ信号を受信できるものであれば、本発明のラジオ放送受信機に該当する。このようなラジオ放送受信機であっても、帯域スキャン速度を高速化し、高頻度化しようとするという点では同一であるからである。
【符号の説明】
【００５８】
１…アンテナ、２…フロントエンド、２ａ…混合器、２ｂ…ＰＬＬ回路、３…ＩＦ増幅器、４…ＦＭ検波器、５…ステレオ復調回路、６…アンプ、７…スピーカ、８…局検出器、９…ＲＤＳ信号検出回路、１０…制御部、１１…記憶部、１２…表示部、１３…操作部、１４…レベル検出器
【図１】
0005653793.tif 000002
【図５】
0005653793.tif 000003
【図６】
0005653793.tif 000004
【図２】
0005653793.tif 000005
【図３】
0005653793.tif 000006
【図４】
0005653793.tif 000007